(57)【要約】【課題】  浴室等の衛生設備室の壁パネルに取付けられる浴室用収納棚であって、ビス取付部が目立つことなく、しかも、複数段にして組み立てても連結部が存在することを感じさせない外観上優れた浴室用収納棚を提供することを目的とする。【解決手段】  背板パネル２の前面に棚板部３が突出して収納棚本体１が形成され、前記背板パネル２の上端部にはビスの頭部が埋設される挿通孔２２１が背面側に向けて穿設された嵌合凸部２２が形成され、該嵌合凸部２２にカバー部材４が被嵌され、背板パネル２の下端部には上端部の嵌合凸部２２が嵌入される寸法形状となされた嵌合凹部２３が形成され、該嵌合凹部２３にビスの頭部が埋設される挿通孔５２１が穿設された固定部材５が嵌入されている。【選択図】      図２  
2005348954.tif 000002
【特許請求の範囲】
【請求項１】
背板パネルの前面に棚板部が突出して収納棚本体が形成され、前記背板パネルの上端部にはビスの頭部が埋設される挿通孔が背面側に向けて穿設された嵌合凸部が形成され、該嵌合凸部にカバー部材が被嵌され、背板パネルの下端部には上端部の嵌合凸部が嵌入される寸法形状となされた嵌合凹部が形成され、該嵌合凹部にビスの頭部が埋設される挿通孔が穿設された固定部材が嵌入されていることを特徴とする浴室用収納棚。
【発明の詳細な説明】
【技術分野】
【０００１】
本発明は、シャワーユニットや浴室ユニット等の衛生設備室に使用される浴室用収納棚に関する。
【背景技術】
【０００２】
従来、住宅等において、浴室ユニットを設置することが行われており、この浴室ユニット内には、収納棚が取り付けられている。この収納棚は、合成樹脂製のものが多く、棚板部も合成樹脂製板状体からなり、本体と一体に成形されることが多い。（例えば特許文献１を参照）
【０００３】
このような収納棚は、図１８に示すように、背板パネルａの前面から棚板部ｂが突出して形成されるもので、背板パネルａの四隅にはビス等の固定具を取り付ける挿通孔ｃが設けられており、挿通孔ｃの周縁はビスｄを取付けた後で、キャップｅを嵌め込むことができるように凹穴が形成されている。
【特許文献１】特開平８−５６７６０号公報
【発明の開示】
【発明が解決しようとする課題】
【０００４】
しかしながら、従来の浴室用収納棚では、背板パネルａはビスの頭部をキャップｃで覆い隠しているもので、浴室ユニットにおいては、キャップｃの部分が目立ち外観を損ない安っぽく見えるばかりか、キャップｃの取付けは嵌め込みが簡単な構造であるものの、外れるおそれががあり、外れた場合は床下に落ちてそのままに使用していることが多い。
また、棚板部ｂが複数段からなる収納棚にあっては、背板パネルｃの高さを高くしたりしてそれぞれ段数の異なる収納棚を製作する必要があり、そのためにそれぞれ収納棚に対応して金型を準備する必要があるためにコストが高くなるという問題があった。
【０００５】
本発明は、このような事情に鑑みて、浴室等の衛生設備室の壁パネルに取付けられる浴室用収納棚であって、ビス取付部が目立つことなく、しかも、複数段にして組み立てても連結部が存在することを感じさせない外観上優れた浴室用収納棚を提供することを目的としている。
【課題を解決するための手段】
【０００６】
このような目的を達成するために、請求項１に記載の発明に係わる浴室用収納棚（以下、「請求項１の浴室用収納棚」と記す）は、背板パネルの前面に棚板部が突出して収納棚本体が形成され、前記背板パネルの上端部にはビスの頭部が埋設される挿通孔が背面側に向けて穿設された嵌合凸部が形成され、該嵌合凸部にカバー部材が被嵌され、背板パネルの下端部には上端部の嵌合凸部が嵌入される寸法形状となされた嵌合凹部が形成され、該嵌合凹部にビスの頭部が埋設される挿通孔が穿設された固定部材が嵌入されていることを特徴としている。
【０００７】
上記請求項１の浴室用収納棚において、背板パネルは、特に限定されないが、ＡＢＳ樹脂、ポリスチレン樹脂等の合成樹脂を射出成形により棚板部を突出するようにして一体に成形したものが好ましい。
【発明の効果】
【０００８】
本発明の浴室用収納棚は、背板パネルの前面に棚板部が突出して収納棚本体が形成され、前記背板パネルの上端部にはビスの頭部が埋設される挿通孔が背面側に向けて穿設された嵌合凸部が形成され、該嵌合凸部にカバー部材が被嵌され、背板パネルの下端部には上端部の嵌合凸部が嵌入される寸法形状となされた嵌合凹部が形成され、該嵌合凹部にビスの頭部が埋設される挿通孔が穿設された固定部材が嵌入されているので、浴室ユニット等の衛生設備室の壁パネルにビスを用いて取付けても、ビス取付部が目立つことなく、しかも、複数段にして組み立てても連結部が存在することを感じさせなく外観上好ましい。
【発明を実施するための最良の形態】
【０００９】
次に、本発明の実施の形態の一例を、図１〜図１４に基づいて説明する。  
図１〜図１３は、本発明浴室用収納棚の第１実施例を説明する図である。
図において、図１は本発明の浴室用収納棚の第１実施例を示す斜視図、図２は同じく浴室用収納棚を示す分解斜視図、図３は浴室用収納棚に用いられる収納棚本体を示す正面図、図４は同じく収納棚本体を示す側面図、図５は同じく収納棚本体を示す平面図、図６は同じく収納棚本体を示す底面図、図７は図３におけるＡ−Ａ線断面図、図８は同じく図３におけるＢ−Ｂ線断面図、図９は同じく図３におけるＣ−Ｃ線断面図、図１０は本発明の浴室用収納棚に用いられるカバー部材を示す断面図、図１１は本発明の浴室用収納棚に用いられる固定部材を示す断面図、図１２は収納棚本体の背板パネルの下端部に固定部材が取付けられる状態を説明する一部切欠き断面図、図１３は同じく背板パネルの上端部にカバー部材が取付けられる状態を説明する一部切欠き断面図である。
【００１０】
図１〜図２に示すように、浴室用収納棚Ａは合成樹脂で成形されたもので、背板パネル２の前面に棚板部３が突出してなる収納棚本体１と、背板パネル２の上端部が被嵌されるカバー部材４と、背板パネル２の下端部を固定する固定部材５とから構成されている。なお、６は転落防止ガードであり、必要に応じて取り付けてもよい。
【００１１】
収納棚本体１、背板パネル２の前面の下端部に棚板部３が突出して縦断面Ｌ字状に形成されている。
【００１２】
背板パネル２は、図３〜図９に示すように、矩形の背板２１の周縁に背面側に直角に折曲された上縁壁２１ａと左右端縁壁２１ｂ，２１ｃ及び下縁壁２１ｄが周設されている。上端部の上縁壁２１ａには嵌合凸部２２が立設されており、下端部の下縁壁２１ｄには、上端部の嵌合凸部２２が嵌入される嵌合凹部２３が形成されている。
【００１３】
上記嵌合凸部２２は、図７〜図８にも示すように、背板２１の壁厚及び左右端縁壁２１ｂ，２１ｃの壁厚だけ後退させて背面側に開口した周壁２２ａが周設され、周壁２２ａの上端に天板壁２２ｂが形成されている。この天板壁２２ｂの背面両端部は背板２１の肉厚に相当する寸法で切欠きされて切欠部２２ｅが形成されている。
【００１４】
また、この嵌合凸部２２の周壁２２ａには、前面側から背面側にビスが挿通される挿通孔２２１が貫通して設けられており、挿通孔２２１は前面側がビスの頭部が埋設される大きさの埋設穴２２２が設けられてビス取付部２２ｆが形成されている。
【００１５】
一方、嵌合凹部２３は、図９にも示すように、下縁壁２１ｄの周縁から下方に背板２１と左右端縁壁２１ｂ，２１ｃとを延設して開口周壁２３ａを形成するとともに、左右端縁壁２１ｂ，２１ｃの背面側端縁より内方に前記嵌合凸部２２の切欠部２２ｅが嵌まり込む寸法で背面壁２３ｂが周設されている。
【００１６】
棚板部３は、図３〜図４及び図９に示すように、背板２１の下端部の前面に棚板３１が突出して形成されており、棚板３１は背板２１側を除く左右両端縁及び前端縁から下方に周縁リブ３１ａが垂設され、裏面には前後方向に補強リブ３１ｂが３本形成されている。また、棚板３１の上面は左右両側に立上り壁３２が立設され、この立上がり壁３２と背板２１とが交わるコーナー部に転倒防止ガード６が取り付けられる取付片３３が設けられており、取付片３３には取付孔３４が形成されている。
【００１７】
カバー部材４は、図１０に示すように、背板パネル２の嵌合凸部２２が嵌入されるように開口部４１が形成されている。この開口部４１は、天板壁４１ａから下方に前面壁４１ｂ及び両側壁４１ｃ、４１ｃと背面壁４１ｄが垂設され、背面壁４１ｄは、前記背板パネル２の嵌合凸部２２の切欠部２２ｅに相当する部分を残して切欠きされている。このカバー部材５を背板パネル２の嵌合凸部２２に装着したときに、カバー部材５の周壁面と背板パネル２の前面及び側面とは面一の外面形状を呈することになり、外観上好ましい。
【００１８】
固定部材５は、図１１に示すように、天板部５１と、天板部５１の下方に垂設された周壁５２と、この周壁５２の下縁から背面側に屈曲して形成される底壁５３とから構成されており、背板パネル２の嵌合凹部２３に嵌入される形状、寸法となっている。即ち、周壁５２は、背板パネル２の背板２１の壁厚及び左右端縁壁２１ｂ，２１ｃの壁厚だけ後退させた寸法、形状とされており、周壁５２の両側壁と天板部５１の両端部は背面側において背板２１の壁厚に相当する寸法で切欠きされて切欠部５１ａが形成されている。
【００１９】
また、この固定部材５の周壁５２には、前面側から背面側にネジが挿通される挿通孔５２１が貫通して設けられており、挿通孔５２１は前面側がネジの頭部が埋設される大きさの埋設穴５２２が設けらてネジ取付部５４とされている。符号５５はたわし等の清掃用具を引っ掛けるフックであって、底壁５３の下方に垂設して一体に形成されている。
【００２０】
転落防止ガード６は、棚板部３の上方の周囲に沿って設けられるもので、帯状の透明アクリル板が湾曲状に屈曲して帯状体６１を形成しており、この帯状体６１の両端に係合突起６１が内方に向けて突出して形成されている。
【００２１】
本発明の浴室用収納棚Ａは、次のような手順によって浴室ユニットの洗い場側の壁パネルに取付けられる。
【００２２】
先ず、図１２に示すように、固定部材５を壁パネル８の所定位置に、ねじ７１をネジ取付部５４の挿通孔５２１より挿通してねじ込むことにより取付けられる。このとき、ネジ７１の頭部７１ａが固定部材５の埋設穴５２２に埋設される。
【００２３】
続いて、固定部材５の上方から背板パネル２の背面側を壁パネル８に押し当てて下方に降下させ、固定部材５を天板部５１から背板パネル２の嵌合凹部２３に嵌入する。このとき、固定部材５を固定しているネジ７１の頭部７１ａは嵌合凹部２３の前側周壁２３ａに隠れて見えなくなる。また、嵌合凹部２３の背面壁２３ｂは固定部材５の切欠部５１ａに嵌まり込み係止した状態となるから背板パネル２の下端側が浮き上がることがない。
【００２４】
次に、図１３に示すように、背板パネル２の上端部を押さえながら、嵌合凸部２２のネジ取付部２２５の挿通孔２２１にネジ７２を挿通してねじ込むことにより背板パネル２の上端部が取付けられる。このとき、ネジ７２の頭部７２ａが嵌合凸部２２の埋設穴２２２に埋設される。
【００２５】
最後に、背板パネル２の上側からカバー部材４の背面側を壁パネル８に押し当てて下方に降下させ、カバー材４の開口部５１に背板パネル２の嵌合凸部２２を嵌入する。このとき、ネジ７２の頭部７２ａはカバー材４の前面壁４１ｂに隠れて見えなくなる。また、背面壁４１ｄは嵌合凸部２２の切欠部２２ｅに嵌まり込み係止した状態となるから、カバー部材は背板パネル２の嵌合凸部から外れることがない。
なお、転落防止ガート６は、図２に示すように、係合突起６２を係止孔３４に嵌め込んで回動自在に係止させて取付けてもよい。
【００２６】
上記の通り、背板パネル２の上端部にカバー部材４を取付け、下端部に固定部材５を取付けることにより、背板パネル２を固定するビス７１、７２の頭部が目立つことがなく壁パネルに取付けることができる。しかも、カバー部材４や固定部材５の取付けによる継ぎ目が背板パネル２の表面と面一になっており外観上見苦しくない。
【００２７】
図１４〜図１７は、本発明浴室用収納棚の第２実施例を説明する図である。
図において、図１４は本発明の浴室用収納棚の第２実施例を示す斜視図、図１５は同じく浴室用収納棚を示す分解斜視図、図１６は下方の背板パネルの上端部に上方の背板パネルの下端部を連結する２連式の浴室用収納棚を説明する一部切欠き断面図、図１７は同じく２連式の浴室用収納棚と鏡とを組み合わせた使用例を示す斜視図である。
【００２８】
図１４〜図１５に示すように、浴室用収納棚Ｂは、２個の収納棚本体１、１が上下方向に連接されて、棚板部３が２段とされたものである。背板パネル２、２を上下方向に連接する構造をのぞいては第１実施例と同じであるので説明を省略する。
【００２９】
本実施例の浴室用収納棚は、図１６に示すように、下側背板パネル２の嵌合凸部２２にネジ７３をネジ取付部２２ｆの挿通孔２２１より挿通してねじ込むことにより背板パネル２の上端部が取付けられる。その後、下側背板パネル２の嵌合凸部２２の上方から上側背板パネル２の背面側を壁パネル８に押し当てて下方に降下させ、上側背板パネル２の嵌合凹部２３に下側背板パネル２の嵌合凸部２２を天板壁２２ｂから嵌入する。このとき、ネジ７３の頭部７３ａは下側背板パネル２の嵌合凹部２３の周壁２３ａに隠れて見えなくなる。引き続いて、第１実施例で説明したとおり、上側背板パネル２の上端部をネジ７２で固定し、カバー部材４を取り付ければよい。
【００３０】
このように、２連式の浴室用収納棚Ｂは、図１７に示すように、鏡９と並設して使用することができる。
また、上下の背板パネル２、２を連結しても、背板パネル２を固定するビス７１、７２の頭部が目立つことがなく壁パネルに取付けることができる。しかも、背板パネル２、２の連結部分の継ぎ目が背板パネル２の表面と面一になっており外観上見苦しくない。
【００３１】
以上、本発明の実施の形態を図面により詳述してきたが、具体的な形態はこの実施の形態に限られものではなく、本発明の要旨を逸脱しない範囲における設計の変更等があっても本発明に含まれる。
【図面の簡単な説明】
【００３２】
【図１】本発明の浴室用収納棚の第１実施例を示す斜視図である。
【図２】同じく浴室用収納棚を示す分解斜視図である。
【図３】浴室用収納棚に用いられる背板パネルを示す正面図である。
【図４】浴室用収納棚に用いられる背板パネルを示す側面図である。
【図５】浴室用収納棚に用いられる背板パネルを示す平面図である。
【図６】浴室用収納棚に用いられる背板パネルを示す底面図である。
【図７】図３におけるＡ−Ａ線断面図である。
【図８】図３におけるＢ−Ｂ線断面図である。
【図９】図３におけるＣ−Ｃ線断面図である。
【図１０】本発明の浴室用収納棚に用いられるカバー部材を示す断面図である。
【図１１】本発明の浴室用収納棚に用いられる嵌合凸部材を示す断面図である。
【図１２】背板パネルの下端部に嵌合凸部材が取付けられる状態を説明する一部切欠き断面図である。
【図１３】同じく背板パネルの上端部にカバー部材が取付けられる状態を説明する一部切欠き断面図である。
【図１４】本発明の浴室用収納棚の第２実施例を示す斜視図である。
【図１５】同上第２実施例の浴室用収納棚を示す分解斜視図である。
【図１６】下方の背板パネルの上端部に上方の背板パネルの下端部を連結する２連式の浴室用収納棚を説明する一部切欠き断面図である。
【図１７】同じく２連式の浴室用収納棚と鏡とを組み合わせた使用例を示す斜視図である。
【図１８】従来例を説明する斜視図である。
【符号の説明】
【００３３】
Ａ、Ｂ    浴室用収納棚
１    収納棚本体
２    背板パネル
２１  背板
２２    嵌合凸部
２３    嵌合凹部                                                                ３    棚板部
４    カバー材
５    固定部材
【図１】
2005348954.tif 000003
【図２】
2005348954.tif 000004
【図３】
2005348954.tif 000005
【図４】
2005348954.tif 000006
【図５】
2005348954.tif 000007
【図６】
2005348954.tif 000008
【図７】
2005348954.tif 000009
【図８】
2005348954.tif 000010
【図９】
2005348954.tif 000011
【図１０】
2005348954.tif 000012
【図１１】
2005348954.tif 000013
【図１２】
2005348954.tif 000014
【図１３】
2005348954.tif 000015
【図１４】
2005348954.tif 000016
【図１５】
2005348954.tif 000017
【図１６】
2005348954.tif 000018
【図１７】
2005348954.tif 000019
【図１８】
2005348954.tif 000020